(57)【要約】【課題】販売代金の集金業務を合理化する。【解決手段】物品の販売の都度販売データを記憶し、少なくとも当月分、前月分の日ごとのデータとして保持する。  毎月の集金時には、暦上の前月分の販売データを月間データとして出力する。【選択図】図６
2005122518.tif 000002
【特許請求の範囲】
【請求項１】
物品の販売の都度販売データを記憶し、少なくとも当月分、前月分の日ごとのデータとして保持し、毎月の集金時には、暦上の前月分の販売データを月間データとして出力することを特徴とする自動販売機における集金作業用データの出力方法。
【請求項２】
前回の集金から今回の集金までの販売データを集金データとして併せて出力することを特徴とする請求項１記載の自動販売機における集金作業用データの出力方法。
【請求項３】
暦上の前々月分の販売データを併せて出力することを特徴とする請求項１または請求項２記載の自動販売機における集金作業用データの出力方法。
【発明の詳細な説明】
【技術分野】
【０００１】
この発明は、たとえばプリペイドカードを含む物品を自動販売機によって販売するとき、販売代金の集金業務を一層合理化することができる自動販売機における集金作業用データの出力方法に関する。
【背景技術】
【０００２】
ホテルや旅館などに設置するＣＡＴＶシステムは、有料プログラムを提供するのが一般的である。
【０００３】
そこで、有料プログラムの視聴を希望する者は、専用の自動販売機を利用して、一定時間の視聴を許容するプリペイドカードを購入し、プリペイドカードを自室のテレビ受像機に挿入して有料プログラムを視聴するシステムが実用されている。なお、この場合のプリペイドカードは、たとえば５００〜１０００円程度を支払うことにより、一泊分の有料プログラムの視聴が可能である。
【０００４】
一方、有料プログラムの提供や、プリペイドカードの販売代金の回収などは、依託業者によって行うのが普通である。すなわち、業者は、たとえば毎月１回の集金作業を実施して販売代金を回収し、売上金額をホテルなどに報告した上、売上金額の一部を設備の設置料としてホテルなどに還元する。
【発明の開示】
【発明が解決しようとする課題】
【０００５】
かかる従来技術によるときは、毎月の集金作業が月内の特定の日に行われるとは限らないために、ホテルなどに報告する売上金額が正確な暦日の１月分に相当せず、ホテルなどの会計処理上支障を来たすことが少なくないという問題があった。
【０００６】
そこで、この発明の目的は、かかる従来技術の問題に鑑み、少なくとも当月分、前月分の日ごとのデータとして日々の販売データを記憶して保持することによって、正確な暦日の１月分相当の売上金額を出力し、集金業務を合理化することができる自動販売機における集金作業用データの出力方法を提供することにある。
【課題を解決するための手段】
【０００７】
かかる目的を達成するためのこの発明の構成は、物品の販売の都度販売データを記憶し、少なくとも当月分、前月分の日ごとのデータとして保持し、毎月の集金時には、暦上の前月分の販売データを月間データとして出力することをその要旨とする。
【０００８】
なお、前回の集金から今回の集金までの販売データを集金データとして併せて出力することができ、暦上の前々月分の販売データを併せて出力することができる。
【発明の効果】
【０００９】
かかる発明の構成によるときは、物品の販売の都度少なくとも物品の代金を含む販売データが記憶され、少なくとも当月分、前月分の日ごとのデータとして保持される。そこで、集金の際、暦上の前月分の販売データを月間データとして出力することにより、正確な暦日の１月分相当の売上金額を出力することができる。なお、ここでいう「当月」、「前月」とは、それぞれ集金の日が属する暦上の月、集金の日が属する暦上の月の前月をいうものとする。
【００１０】
前回の集金から今回の集金までの販売データを集金データとして併せて出力すれば、自動販売機から集金され、回収された集金金額の正否を容易にチェックすることができ、集金作業を簡単にすることができる。集金作業の際、自動販売機には、前回の集金から今回の集金までの売上相当の金額が集積されている筈であるからである。
【００１１】
暦上の前々月分の販売データを併せて出力すれば、何らかの都合で集金作業が正しく毎月行われなかった場合でも、暦上の前月分のデータに加えて、暦上の前々月分のデータが月間データとして得られるから、会計上の支障を来たすおそれがない。
【発明を実施するための最良の形態】
【００１２】
以下、図面を以って発明の実施の形態を説明する。
【００１３】
自動販売機における集金作業用データの出力方法は、たとえばＣＡＴＶシステムの有料プログラム視聴用のプリペイドカードを販売する自動販売機において実施する（図１）。ただし、図１（Ａ）は、自動販売機の正面扉１上の機器レイアウトを示し、同図（Ｂ）は、正面扉１を開放してアクセスする内扉２上の機器レイアウトを示している。
【００１４】
正面扉１上には、大きなネームプレート１１の他、紙幣投入口１２、カード取出口１３が配設され、プリペイドカードの販売中を示す表示灯１４、錠前１５が配設されている。一方、内扉２上には、紙幣投入口１２からの紙幣を受け入れる紙幣判別機２２、紙幣投入に応じてプリペイドカードをカード取出口１３に排出する発券機２３が配設され、表示灯１４用のランプ１４ａ、錠前１５の錠部分１５ａの他、電源スイッチ２６、プリンタ２７、数字表示器２８、発券累計カウンタ２９が配設されている。なお、プリンタ２７には、プリントキー２７ａが付設され、数字表示器２８には、表示切換スイッチ２８ａ、２８ｂが付設されている。
【００１５】
内扉２の内部には、コントローラ３１と、その電源部３２とを含む一連の制御システムが組み込まれている（図２）。なお、コントローラ３１には、時計、不揮発性のフラッシュメモリ、バックアップ用のバッテリと組み合わせるカレンダ機能付きのマイクロコンピュータ（ＣＰＵ）が組み込まれており、コントローラ３１は、ランプ１４ａの他、紙幣判別機２２から発券累計カウンタ２９に至る各部材に対し、適切な方向に接続されている。
【００１６】
コントローラ３１は、電源スイッチ２６を投入し、正面扉１を閉じて錠前１５をロックすることにより自動的に販売モードとなり、たとえば図３のプログラムフローチャートに従って作動する。
【００１７】
プログラムは、販売中を示す表示灯１４用のランプ１４ａを点灯させ（図３のプログラムステップ（１）、以下、単に（１）のように記す）、紙幣投入口１２に紙幣が投入されるのを待って待機する（２）。なお、販売されるプリペイドカードの単価は、あらかじめコントローラ３１内に設定されているものとし、ここでは、簡単のため、１枚１０００円に設定され、紙幣判別機２２は、１０００円札のみを受け入れるものとする。
【００１８】
紙幣投入口１２に紙幣が投入され、プリペイドカードの単価相当の金額が紙幣判別機２２によって受け入れられると、プログラムは、それを検知し（２）、発券機２３を介してプリペイドカードを発券し、カード取出口１３から排出させる（３）。その後、プログラムは、フラッシュメモリ内の紙幣カウンタ、発券カウンタをそれぞれインクリメントして更新し（４）、発券累計カウンタ２９をインクリメントして更新した上（５）、販売データを記憶して（６）、次の紙幣投入に備えて待機する（２）。ここで、販売データは、フラッシュメモリ内に用意される当月分、前月分、前々月分の日ごとのメモリエリア（図４）の本日に相当するエリア内に、本日の販売枚数が販売の都度インクリメントされて記憶されるものとする。
【００１９】
プログラムは、以下同様にして、紙幣投入口１２に紙幣が投入される都度、カード取出口１３からプリペイドカードを１枚ずつ排出し、プリペイドカードを販売することができる（（２）、（３）…（６）、（２））。すなわち、プログラムは、プリペイドカードの販売の都度販売データをメモリエリアに記憶し、当月分、前月分、前々月分のデータとして保持することができる。
【００２０】
集金作業は、たとえば毎月の初旬に行われる。コントローラ３１は、集金作業のために錠前１５が解錠されて正面扉１が開かれると、自動的に集金モードに移行し、たとえば図５のプログラムフローチャートに従って作動する。
【００２１】
プログラムは、表示灯１４用のランプ１４ａを消灯させ（図５のプログラムステップ（１）、以下、単に（１）のように記す）、プリントキー２７ａによるプリント指示を待って待機する（２）。そこで、集金作業員は、紙幣判別機２２内に集積されている紙幣を集金して回収するとともに、必要に応じて発券機２３内にプリペイドカードを補充する。また、このとき、表示切換スイッチ２８ａ、２８ｂを適切に操作して数字表示器２８の表示内容を切り換えることにより、現時点における紙幣カウンタ、発券カウンタの内容を確認することができる。ただし、紙幣カウンタ、発券カウンタは、それぞれ前回の集金以降に紙幣判別機２２に受け入れられた紙幣の枚数、前回の集金以降に発券機２３から発券されたプリペイドカードの枚数を示す。
【００２２】
プリントキー２７ａを操作してプリント指示を与えると（２）、プログラムは、集金データを作成し（３）、月間データを作成して（４）、プリンタ２７を駆動して集金データ、月間データを出力させる（５）。集金データ、月間データは、それぞれフラッシュメモリ内の当月分、前月分、前々月分の販売データを集計して作成することができる。
【００２３】
たとえば、図６（Ａ）の集金データは、タイトル「カード販売機集計」、自動販売機の識別番号「販売機番号  ５」、集金日「２００３／８／４」につづけて、前回集金の日時「前回集計  ２００３／７／３  １５：００」、今回集金の日時「今回集計  ２００３／８／４  １４：０１」と、前回集金から今回集金までのプリペイドカードの販売枚数「販売カード枚数  １，５９１」、プリペイドカードの単価「販売カード単価  １，０００」と、販売金額の合計「合計金額  １，５９１，０００」とが順にプリントされており、紙幣判別機２２から回収された金額と集金データ上の合計金額とを照合して前者の正否を確認することができる。また、図６（Ｂ）の月間データは、タイトル「カード販売機集計」、自動販売機の識別番号「販売機番号  ５」、集金日「２００３／８／４」につづけて、暦上の前月分の売上の集計と、日ごとの売上の明細とが一連の表としてプリントされている。
【００２４】
プログラムは、プリンタ２７による集金データ、月間データのプリントアウトが完了すると（６）、今回の集金日時をフラッシュメモリに記憶し（７）、フラッシュメモリ内の紙幣カウンタ、発券カウンタ、前々月分の販売データをクリアして（（８）、（９））、正面扉１が閉じられるのを待つ（１０）。正面扉１が閉じられて錠前１５がロックされると（１０）、プログラムは、元の販売モードに自動的に復帰して（１１）、終了する。
【００２５】
なお、図５のプログラムは、前回の集金が暦上の前々月に属する日に行われた場合、プログラムステップ（４）の月間データとして、暦上の前月分、前々月分の販売データを併せて出力することができる。
【００２６】
図５のプログラムにおいて、プログラムステップ（３）の集金データ、同（４）の月間データは、そのいずれか一方または双方を出力するように、外部から指定可能としてもよい。また、プログラムステップ（８）の紙幣カウンタ、発券カウンタのクリアは、手動操作を待って実行してもよい。さらに、プログラムステップ（５）の出力動作は、プリンタ２７によるプリント動作に代えて、またはプリント動作に併せて、図示しない携帯端末に対する電子データの出力動作としてもよく、その場合の電子データには、紙幣カウンタ、発券カウンタの一方または双方の内容を含ませることができる。ただし、携帯端末は、集金作業の一環として、図示しないコネクタを介して、または無線回線を介して、たとえば図５のプログラムステップ（２）において、手動によりコントローラ３１に接続するものとする。
【００２７】
なお、図４の販売データは、月間データとして暦上の前月分のみを出力すればよい場合、前々月分相当のメモリクリアを省略することができる。ただし、このとき、図５のプログラムは、プログラムステップ（９）において、前月分の販売データをクリアするものとする。
【００２８】
また、この発明は、プリペイドカードの販売用に限らず、他の任意の物品の１種または２種以上を販売する自動販売機に適用することができる。ただし、２種以上の物品を販売するとき、フラッシュメモリ内の販売データは、物品ごとの内訳を日ごとに記憶するものとし、図６のプリントアウト内容は、物品ごとの内訳データを含むものとする。
【図面の簡単な説明】
【００２９】
【図１】自動販売機の正面説明図
【図２】全体構成ブロック系統図
【図３】プログラムフローチャート（１）
【図４】メモリエリア構成図
【図５】プログラムフローチャート（２）
【図６】プリントアウト内容説明図
【符号の説明】
【００３０】
２２…紙幣判別機
２３…発券機
３１…コントローラ
特許出願人          北菱電興株式会社
代理人  弁理士        松  田  忠  秋
【図１】
2005122518.tif 000003
【図２】
2005122518.tif 000004
【図３】
2005122518.tif 000005
【図４】
2005122518.tif 000006
【図５】
2005122518.tif 000007
【図６】
2005122518.tif 000008